(57)【要約】【課題】  鍵穴を不用とする形式のドアロック装置を提供する。【解決手段】  ドア本体の裏面側に固定されたラッチ受と、ドア用開口の枠体側において該ドア本体裏面に対向して可動に支持された可変ラッチとを有し、該可変ラッチはロック装置の一部を構成する枠体内において摺動可能に支持されており、該可変ラッチの移動によってラッチ受及び可変ラッチの各々に設けられた鈎部が係合位置及び離脱位置に移動可能であり、リモートコントローラからの指令に基づいて可変ラッチの駆動装置を制御する。【選択図】      図１
2005232766.tif 000002
【特許請求の範囲】
【請求項１】
ドア本体の裏面側に固定されたラッチ受と、ドア用開口の枠体側において該ドア本体裏面に対向して可動に支持された可変ラッチとを有し、該可変ラッチはロック装置の一部を構成する枠体内において摺動可能に支持されており、該可変ラッチの移動によってラッチ受及び可変ラッチの各々に設けられた鈎部が係合位置及び離脱位置に移動可能であり、リモートコントローラからの指令に基づいて可変ラッチの駆動装置を制御することを特徴とするドアロック装置。
【請求項２】
上記可変ラッチの駆動装置は、該可変ラッチを構成する内枠部及び外枠部間の空間に収容されていることを特徴とする請求項１記載のドアロック装置。
【請求項３】
上記可変ラッチの駆動装置は、電磁モータ及びラック・ピニオン機構を用いていることを特徴とする請求項１又は２記載のドアロック装置。
【請求項４】
上記可変ラッチの駆動装置は、ソレノイド機構を用いることを特徴とする請求項１又は２記載のドアロック装置。
【請求項５】
上記請求項１〜４のいずれかに記載のドアロック装置が、可変ラッチの位置検出用磁気近接スイッチを有していることを特徴とするドアロック装置。
【請求項６】
上記請求項１〜４のいずれかに記載のドアロック装置において、上記可変ラッチの移動位置がＬＥＤランプにより表示されていることを特徴とするドアロック装置。
【請求項７】
上記請求項１〜６のいずれかに記載のドアロック装置が、他の施錠装置と併用されていることを特徴とするドアロック装置。
【請求項８】
上記請求項１〜６のいずれかに記載のドアロック装置において、上記の可変ラッチの縦方向寸法が、ドア本体の縦方向寸法と略一致する長さであることを特徴とするドアロック装置。
【請求項９】
上記請求項１〜６のいずれかに記載のドアロック装置が、１個のドアに対して、そのドア本体の開閉側に複数設けられていることを特徴とするドアロック装置。
【請求項１０】
上記請求項１〜６のいずれかに記載のドアロック装置が、１個のドアに対して、そのドア本体の開閉側及び支持固定側の両方に設けられていることを特徴とするドアロック装置。
【発明の詳細な説明】
【技術分野】
【０００１】
本発明はドアのロック装置に係り、特に、施錠及び解錠のための鍵を不用としたロック装置に関するものであり、従来形式の施錠が暴力的に解除される欠点を克服するロック装置を提供するものである。
【背景技術】
【０００２】
従来周知のドアのロック装置は、種々の形式の錠前を用いてドアとドア開口の固定枠体とを固定するものであり、一般的にはシリンダー錠等が用いられている。
しかしながら、このような形式のロック装置にあっては、施錠ロータによってカム機構を作動させ、これによってドアと固定枠体との間にデッドボルトを往復動させることにより施錠及び解錠を行うものである。
【０００３】
この形式のロック装置の一例は、特開２００３−９０１５７号公報に示されている。
該公報に記載された先行技術について説明すると、基本的には、ドアに固着されるガイドベースと、ドア固定枠体に設けられる受金部と、施錠位置と解錠位置との間で進退可能なガイドベースに装着されたスライドブロックと、該スライダーブロックに設けられて受金部に係脱するデッドボルトと、スライドブロックに埋め込み装着され、スライダーブロックをガイドベースに対して錠止めする錠前ユニットと、施錠ロータに連動装備したロックボルトをガイドベース側のロック受け部に係合させる鍵を有するものである。
【０００４】
そしてこの発明の課題は、固定枠体に対するドアの施錠が、デッドボルトと受金部との係合によって成立する形式のロック装置において、外力を加えてデッドボルトや受金部を歪曲変形したり損壊することによって行われる暴力的解錠から逃れるためのものである。
このため、上記錠前ユニットを大型化することなく、デッドボルトと受金部との係合長さを必要十分に長く設定することのできるドア用ロック装置を提供するものであり、錠前ユニット自体のドリル等による暴力的破壊やピッキング用具による不正解錠に対しても強いドア用ロック装置を提供している。
【特許文献１】特開２００３−９０１５７号公報
【発明の開示】
【発明が解決しようとする課題】
【０００５】
しかしながら、上記従来公知のドアロック装置にあっては、ドア表面側から開錠のための鍵を操作する構造であり、デッドボルトは錠前ユニット位置に設けられ、ドア本体とドア固定枠体との間で移動する構造であるから、ピッキングによる不正解錠を完全に防止することはできないのみならず、ドリル等による破壊も回避することは困難であった。
本発明はこのような点を解決する新規な構造のドアロック装置を提供するものであり、基本的には鍵穴を不用とする形式のドアロック装置に関するものである。
【課題を解決するための手段】
【０００６】
本発明は、ドア本体の裏面側に固定されたラッチ受と、ドア用開口の枠体側において該ドア本体裏面に対向して可動に支持された可変ラッチとを有し、該可変ラッチはロック装置の一部を構成する枠体内において摺動可能に支持されており、該可変ラッチの移動によってラッチ受及び可変ラッチの各々に設けられた鈎部が係合位置及び離脱位置に移動可能であり、リモートコントローラからの指令に基づいて可変ラッチの駆動装置を制御することを特徴とするドアロック装置である。
また、上記可変ラッチの駆動装置は、該可変ラッチを構成する内枠部及び外枠部間の空間に収容され、上記可変ラッチの駆動装置は、電磁モータ及びラック・ピニオン機構又はソレノイド機構を用いると共に、可変ラッチの移動位置がＬＥＤランプにより表示され、更に、可変ラッチの位置検出用磁気近接スイッチを有していることを特徴とするものである。
そして、上記の可変ラッチの縦方向寸法は、ドア本体の縦方向寸法と略一致する長さとすることもでき、更に、１個のドアに対して、そのドア本体の開閉側に複数設けられ、又は、１個のドアに対して、そのドア本体の開閉側及び支持固定側の両方に設けることもできる。
【発明の効果】
【０００７】
本発明は上記の手段を有しており、ロック装置を構成するラッチ部分がドア本体の裏面側に配置され、ドア又はドア固定用枠体の暴力的変形によっても容易に不正解錠されることがない効果を奏される。
また、従来一般の鍵を用いるロック装置と異なり、ピッキングなどによる不正解錠されることがない。
更に、本発明のロック装置はドアのどの位置においても設定可能であり、外部からその設置位置を察知することができないので、一層安全なドアロック装置を提供することができる等の効果を奏するものである。
更にまた、本発明は上記ロック装置をドア本体の開閉側に複数設置することも、ドア本体の開閉側及び支持固定側の両方に設置することもできるので、更に安全なドアロック装置を提供するものである。
【発明を実施するための最良の形態】
【０００８】
本発明を図１〜図６により説明する。
図１は、本発明に係るドアロック装置と該ロック装置を設けたドア本体との、該ドアロック装置装着位置における横断面を示している。該図において、ドア本体１０はその支持側においてドア固定枠の図示しない部分に対し、一般的に蝶番により開閉自在に固定されており、該図はドア本体１０の開閉側における閉止状態であるドア本体１０とドア固定枠に装着されたドアロック装置２０の枠体２１の関係を示している。
【０００９】
ドア本体１０は通常の形式のものであって、該ドア本体の一部を構成するフレーム１７を有すると共に、ドア本体１０の開閉側端部裏面１１には、本発明に係るドアロック装置２０のロック部を構成する一方の部材であるラッチ受１２が、ビスＢ，Ｂによってドア本体１０の該フレーム１７部分に固定されている。なお、ラッチ受１２の具体的な構造については図５によって後述する。
【００１０】
一方、ドアの固定枠側にはドアロック装置２０の可変ラッチ２２側を支持するために、枠体２１がドア固定枠の一部に設けられている。図示しないドア固定枠は、その外形状は従来の枠体と同様であるが、その一部を構成し、上記ラッチ受１２と対向する可変ラッチ２２の支持のために枠体２１を構成する、側枠部材２３と基枠部材２４とを有している。
そして、該枠体２１の側枠部材２３と基枠部材２４によって形成される凹所Ｈ（図４参照）に、可変ラッチ２２が摺動可能に装着される。なお、可変ラッチ２２の具体的な構造については図６により後述する。
【００１１】
図２は、上記図１の矢印Ａ方向から見た状態を示しており、図３は、同じく図１の矢印Ｂ方向から見た状態を示している。そして、これらの図面はいずれも、ドア本体１０及びドア固定枠の一部に設けられたドアロック装置用の枠体２１を示しており、実質的には本発明に係るドアロック装置２０及びその作動を制御するための電子装置が装着されている部分のみを示している。
【００１２】
図１及び図２において、上記ドアロック装置２０の可変ラッチ２２を駆動制御するための駆動制御装置が、枠体２１の側枠部材２３及び基枠部材２４で囲まれる箱状部内に収容されている。そして、後述する符号３０で示す駆動制御装置の一部を構成する電磁モータ３１によりピニオン歯車３２を回動し、これと係合するラック杆３３を往復動可能とするものであり、該ラック杆３３は図２に示すブラケット３４を介して後述する可変ラッチ２２の内枠部２２Ｂ（図６参照）に固定される。
【００１３】
これに対して、上記ドア本体１０のフレーム１７には、図５に示すラッチ受１２の固定部１２Ｂ（図５参照）がビスＢ，Ｂにより固定され、その鈎部１２Ａと上記可変ラッチ２２の鈎部２２Ａとが係合又は離脱状態に、上記電磁モータ３１を用いて制御可能である。
その他、図１に示す前述の符号３０は、上記電磁モータ３１等を制御するための制御装置全般を示しており、後述する磁気式近接スイッチ３５，３５、具体的な説明は省略される制御基板３６、トランス４０、シール型超小形基本スイッチ３８，３８等が含まれている。
【００１４】
図１及び図２より明らかなように、ラッチ受１２と可変ラッチ２２の夫々の鈎部１２Ａ，２２Ａが、上記電磁モータ３１の回動によるラック杆３３の移動によって係脱を繰り返すことにより、本願発明のドアロック装置の施錠及び解錠が行われる。
その際、上記ラッチ受１２の基部１２Ｂと上記可変ラッチ２２の内枠部２２Ｂとには、夫々磁気式近接スイッチ３５，３５が設けられており、ドアロック装置２０における可変ラッチ２２の位置を確認して、その移動を制御するものである。なお、図２における符号３８，３８は、次に図３において説明するシール型超小形基本スイッチである。
【００１５】
図１及び図３を用いて更に説明すると、上述の電磁モータ３１は、側枠部材２３に固着されるブラケット２５Ａと基枠部材２４に固着されるブラケット２５Ｂによって固定されている。そして、該電磁モータ３１のピニオン歯車３２が、可変ラッチ２２の内枠部２２Ｂにブラケット３４（図２参照）を介して固定されているラック杆３３と係合している。
上記磁気式近接スイッチ３５，３５の一方は、可変ラッチ２２の内枠部２２Ｂの一部に設けた切欠部を介して枠体２１の側枠部材２３に固定されていることが、図中の破線により示されている。
【００１６】
一対のシール型超小形基本スイッチ３８，３８は、上記枠体２１の基枠部材２４に固着されているブラケット２６に対して、夫々ビスＢ，Ｂにより固定されている。そして、該基本スイッチ３８，３８のいずれかに、可変ラッチ２２の内枠部材の折曲部２２Ｄ（図６参照）が当接したことを検知することによって、上記電磁モータ３１の回動、従って可変ラッチ２２の移動を制御するものである。
なお、符号３９はＬＥＤを用いた赤色及び青色のランプであって、この色によって上記可変ラッチ２２に対して開作動を指示したか、閉作動を指示したかの判別を可能としているものである。
【００１７】
符号４０は一般的なトランスを示しており、通常の商用電源を用いて上述の駆動制御装置３０全般を作動させるものであり、符号３６はこれらの制御装置の一般的な制御基板を示しているが、説明は省略する。
なお、図１に示す補助バッテリー４１は、上記基本電源である商用電源からの給電不能時にもロック装置の開閉を可能とするための電源であり、符号４２は、一般にＡＴゴムと呼ばれる、ドア本体とドア支持枠体との間のシール部材を示している。
【００１８】
図４は、本発明に係るドアロック装置の基本的構成部分と、これを支持するドア本体及びドア支持枠の一部に設けた枠体とを示している。
枠体２１を構成する側枠部材２３と基枠部材２４とは、通常のドア支持枠の断面と略同一形状に配置され、これらを結合する連結部材と、その上下を封止する板体によって概略箱状に形成されるが、図４はその断面のみを示している。そして、側枠部材２３と基枠部材２４の各端部で形成される凹所Ｈに、可変ラッチ２２の内枠部２２Ｂ及び外枠部２２Ｃが嵌挿され、摺動可能に配置される。
【００１９】
ドア本体１０の開閉端側のフレーム１７には、ラッチ受１２の固定部１２Ｂがビスにより固定されており、図示の状態でラッチ受１２の鈎部１２Ａと可変ラッチ２２の鈎部２２Ａが係合関係にあり、すなわちロック状態を示している。
上記枠体２１における他の部分、すなわち側枠部材２３と基枠部材２４とこれらの連結部材（図の破線）によって形成された室内には、上述の駆動制御装置３０を含む電子機器が収納される。
【００２０】
図５は、上記図１、図４に示すラッチ受１２の詳細図であって、１つの実施例によれば、固定部１２Ｂの巾ｈ１は約２７ｍｍ、固定部から鈎部１２Ａまでの高さｈ２は約１５ｍｍ、鈎部１２Ａの長さｈ３は約１２ｍｍとすることができ、該ラッチ受１２は全体を厚さ約３ｍｍに形成することができる。
なお、該ラッチ受１２の縦方向の長さは、後述する可変ラッチの縦方向長さと概略等しくすることができるが、例えば１５０〜２００ｍｍであっても良い。
【００２１】
図６は、上記図１及び図４に示す可変ラッチ２２の詳細を示している。基本的には基板部２２Ｅの一方端に鈎部２２Ａを有し、該基板部２２Ｅから同一方向に内枠部２２Ｂ及び外枠部２２Ｃが延びており、内枠部２２Ｂの先端は折曲されて折曲部２２Ｄとされ、これら基板部２２Ｅ、内枠部２２Ｂ、外枠部２２Ｃ、折曲部２２Ｄによって形成される空間Ｓに、上記ラック杆３３及びこれを駆動する電磁モータ３１、ピニオン歯車３２等配置されるものである。
【００２２】
なお、該ラック杆３３は上述のごとく、ブラケット３４（図２参照）を介して前記可変ラッチ２２の内枠部２２Ｂに固定されている。
また、このような可変ラッチ２２の大きさは、基本的には上記ラッチ受１２の特に鈎部１２Ａに対応させて作成されるものであるが、上記各部分の肉厚をラッチ受１２と同様に約３ｍｍとすることができると共に、上記空間Ｓ部分の断面は、その大きさが例えば２５ｍｍ×３０ｍｍ程度とすることができる。
【００２３】
本発明のドアロック装置を用いてドアの施錠及び開錠を行う場合、例えば車輌のドアロック装置等で利用されているごときリモートコントローラを使用する。すなわち、そのドアロック装置に固有の周波数の電波を発信する図示しないコントローラと、該固有周波数の電波のみを受信して上記ドアロック装置のための駆動用電磁モータを作用させる制御回路を有する。しかしながら、この様なコントローラ又は制御回路自体は格別新規なものではないので、該コントローラ及び上記制御基板３６内に構成される制御回路等の説明は省略する。
【００２４】
この様なリモートコントローラの作動により、上記電磁モータ３１を回転駆動させると、ラッチ受１２に対して相対的に可変ラッチ２２が往復移動させられる。この場合、ラッチ受１２の鈎部１２Ａと可変ラッチ２２の鈎部２２Ａとが係合する部位の長さに応じて、可変ラッチ２２自体を移動させるべき距離が決定されるけれども、該係合する部位の長さは自由に選択設計できるものである。
従って、上記の鈎部１２Ａ，２２Ａを長く設計することによって、ドア本体又はドア枠体部の変形に対しても十分な係合関係を保障できるものである。
【００２５】
このような本発明に係るドアロック装置をドア部分に装着する場合、通常のドアノブ位置に装着する場合には通常のドアノブ位置に隣接して装着しても良く、また、全く異なる部位、例えばドアの上端部又は下端部に設けることも自由であり、更に、従来周知のシリンダー錠等のロック手段と併用することも自由である。
また、上記実施例においては、ロック装置の開閉指示状態を表示するＬＥＤランプを側枠部材２３に設けているが、例えばドア支持枠の他の部位に装着することも自由である。
【００２６】
本発明の上記ドアロック装置において、可変ブラケットの他の駆動手段として例えば電磁気的手段を用いることができる。この場合、例えば上記電磁モータに替えてソレノイドコイルを設け、該ソレノイドコイルによって往復動される鉄心を可変ブラケットに固定する等の手段を用いることによって、上記の実施例と同様の制御手段を用いてドアの施錠及び開錠を行うことができる。
【００２７】
上記本発明の実施例においては、ラッチ受１２と可変ラッチ２２との縦方向寸法が略同一のものについて説明しているが、その他に次のような実施例が想定される。
すなわち、ラッチ受１２の形状をそのままとして、可変ラッチ２２の縦方向寸法を長くし、例えばドア固定枠の略全長に渡る長さとすることも可能であり、この様な縦方向に長い可変ラッチ２２とする場合には、前述の実施例におけるごときドアロック装置の施錠及び解錠手段である電磁モータ３１、ラック杆３３等を複数用いることもできると共に、ラッチ受１２を複数設けるとよい。
また、先の実施例に詳述した形式のドアロック装置を、ドア本体１０の開閉側及び支持固定側の両方に設置するようにしたドアロック装置も、当然に本発明の範囲に含まれるものである。
【図面の簡単な説明】
【００２８】
【図１】本発明のドアロック装置を含むドア及びドアロック装置支持枠の横断面図である。
【図２】図１の矢印Ａ方向から見た概略図である。
【図３】図１の矢印Ｂ方向から見た概略図である。
【図４】ドア本体及びドアロック装置支持部の概略説明図である。
【図５】ラッチ受の説明図である。
【図６】可変ラッチの説明図である。
【符号の説明】
【００２９】
１０  ドア本体
１２  ラッチ受
１２Ａ  ラッチ受鈎部
１２Ｂ  ラッチ受固定部
１７  フレーム
２０  ドアロック装置
２１  枠体
２２  可変ラッチ
２２Ａ  可変ラッチ鈎部
２２Ｂ  内枠部
２２Ｃ  外枠部
２２Ｄ  折曲部
２２Ｅ  基板部
２３  側枠部材
２４  基枠部材
２５Ａ  ブラケット
２５Ｂ  ブラケット
２６  ブラケット
３０  駆動制御装置
３１  電磁モータ
３２  ピニオン歯車
３３  ラック杆
３４  ブラケット
３５  磁気近接スイッチ
３６  制御基板
３８  シール型小形基板スイッチ
３９  ＬＥＤランプ
４０  トランス
４１  補助バッテリー
４２  シール部材
Ｈ  凹所
Ｓ  空間
【図１】
2005232766.tif 000003
【図２】
2005232766.tif 000004
【図３】
2005232766.tif 000005
【図４】
2005232766.tif 000006
【図５】
2005232766.tif 000007
【図６】
2005232766.tif 000008